【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第１の決定がなされる確率と前記第２の決定がなされる確率との合算確率に占める前記第２の決定がなされる確率の比率よりも、同一ゲームにおいて前記第３の決定がなされる確率と前記第４の決定がなされる確率との合算確率に占める前記第４の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第３の決定または前記第４の決定がなされた場合と、前記第３の決定及び前記第４の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴とするスロットマシン。
【請求項２】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第３の決定がなされる確率と前記第４の決定がなされる確率との合算確率に占める前記第４の決定がなされる確率の比率よりも、同一ゲームにおいて前記第１の決定がなされる確率と前記第２の決定がなされる確率との合算確率に占める前記第２の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第１の決定または前記第２の決定がなされた場合と、前記第１の決定及び前記第２の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴とするスロットマシン。
【請求項３】
前記特定の表示態様は、前記複数の可変表示領域に跨って設定された複数のラインのいずれかに特定の図柄組み合わせが導出される表示態様であり、
前記導出制御手段は、
前記第３の決定または前記第４の決定がなされたときに、前記複数のラインのうちの第１のラインに、第２のラインよりも高い割合で前記特定の図柄組み合わせを導出させる制御を行い、
前記第１の決定または前記第２の決定がなされたときに、前記第２のラインに、前記第１のラインよりも高い割合で前記特定の図柄組み合わせを導出させる制御を行う
ことを特徴とする請求項１または２に記載のスロットマシン。
【請求項４】
前記事前決定手段の決定結果に応じて複数種類の演出からいずれかの種類の演出を選択する演出種類選択手段と、
前記演出種類選択手段にて選択された種類の演出を実行する演出実行手段と、
を備え、
前記演出種類選択手段は、前記第１の決定または前記第２の決定がなされたときと、前記第３の決定または前記第４の決定がなされたときと、で異なる選択比率にて前記演出の種類を選択する
ことを特徴とする請求項１〜３のいずれかに記載のスロットマシン。
【請求項５】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第１の決定がなされる確率と前記第４の決定がなされる確率との合算確率に占める前記第４の決定がなされる確率の比率よりも、同一ゲームにおいて前記第２の決定がなされる確率と前記第３の決定がなされる確率との合算確率に占める前記第２の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第２の決定または前記第３の決定がなされた場合と、前記第２の決定及び前記第３の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴とするスロットマシン。
【請求項６】
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第２の決定がなされる確率と前記第３の決定がなされる確率との合算確率に占める前記第２の決定がなされる確率の比率よりも、同一ゲームにおいて前記第１の決定がなされる確率と前記第４の決定がなされる確率との合算確率に占める前記第４の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第１の決定または前記第４の決定がなされた場合と、前記第１の決定及び前記第４の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴とするスロットマシン。
【請求項７】
前記特定の表示態様は、前記複数の可変表示領域に跨って設定された複数のラインのいずれかに特定の図柄組み合わせが導出される表示態様であり、
前記導出制御手段は、
前記第２の決定または前記第３の決定がなされたときに、前記複数のラインのうちの第１のラインに、第２のラインよりも高い割合で前記特定の図柄組み合わせを導出させる制御を行い、
前記第１の決定または前記第４の決定がなされたときに、前記第２のラインに、前記第１のラインよりも高い割合で前記特定の図柄組み合わせを導出させる制御を行う
ことを特徴とする請求項５または６に記載のスロットマシン。
【請求項８】
前記事前決定手段の決定結果に応じて複数種類の演出からいずれかの種類の演出を選択する演出種類選択手段と、
前記演出種類選択手段にて選択された種類の演出を実行する演出実行手段と、
を備え、
前記演出種類選択手段は、前記第１の決定または前記第４の決定がなされたときと、前記第２の決定または前記第３の決定がなされたときと、で異なる選択比率にて前記演出の種類を選択する
ことを特徴とする請求項５〜７のいずれかに記載のスロットマシン。
【請求項９】
前記複数の可変表示領域のうち特定の可変表示領域以外のいずれかの可変表示領域が未だ変動している段階で、前記特定の表示結果が前記特定の可変表示領域に導出されたことを条件に、特殊演出を実行する特殊演出実行手段を備える
ことを特徴とする請求項１〜８のいずれかに記載のスロットマシン。
【請求項１０】
前記第１〜４の決定のいずれかがなされたときに、２以上の所定ゲーム数にわたる演出内容を決定する連続演出内容決定手段と、
前記第１〜４の決定のいずれかがなされた後、前記所定ゲーム数にわたり前記連続演出内容決定手段にて決定された演出内容に基づく連続演出を実行する連続演出実行手段と、
前記連続演出が開始した後、前記所定ゲーム数に到達する前に新たに前記特定一般入賞の発生を許容する旨が決定されたときに残りの演出内容を変更する演出内容変更手段と、
をさらに備える
ことを特徴とする請求項１〜９のいずれかに記載のスロットマシン。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
各々が識別可能な複数種類の図柄を周期的に移動させることにより変動表示可能な複数の可変表示領域（左、中、右リール）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（左、中、右リール）の全てに前記表示結果が導出されたことにより１ゲームが終了し、１ゲームの結果として前記複数の可変表示領域（左、中、右リール）のそれぞれに導出された前記表示結果の組み合わせに応じて入賞が発生可能とされたスロットマシン（スロットマシン１）であって、
少なくともいずれかの可変表示領域に表示結果が導出される前に、遊技者にとって有利な特別遊技状態（ＢＢ、ＲＢ）への移行を伴う特別入賞（特別役）及び該特別入賞以外の一般入賞（再遊技役、小役）を含む複数種類の入賞について発生を許容するか否かを決定する事前決定手段（内部抽選）と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段（内部抽選）の決定結果に基づいて導出させる制御を行う導出制御手段と、
前記事前決定手段により前記特別入賞（特別役）の発生を許容する旨が決定され、該特別入賞が発生しなかったときに、当該特別入賞の発生を許容する旨の決定（特別役の当選フラグ）を次ゲーム以降に持ち越す持越手段と、
を備え、
前記事前決定手段（内部抽選）は、
同一ゲームにおける決定対象として、前記一般入賞のうち第１の一般入賞（スイカ）の発生を許容する旨を単独で決定する第１の決定（スイカ）、前記第１の一般入賞（スイカ）の発生を許容する旨及び前記特別入賞（特別役）の発生を許容する旨を同時に決定する第２の決定（特別役＋スイカ）、前記第１の一般入賞（スイカ）の発生を許容する旨及び前記一般入賞のうち前記第１の一般入賞と異なる第２の一般入賞（１枚）の発生を許容する旨を同時に決定する第３の決定（スイカ＋１枚）、前記第１の一般入賞（スイカ）の発生を許容する旨、前記第２の一般入賞（１枚）の発生を許容する旨及び前記特別入賞（特別役）の発生を許容する旨を同時に決定する第４の決定（特別役＋スイカ＋１枚）を行うことが可能であり、
同一ゲームにおいて前記第１の決定（スイカ）がなされる確率と前記第２の決定（特別役＋スイカ）がなされる確率との合算確率に占める前記第２の決定（特別役＋スイカ）がなされる確率の比率よりも、同一ゲームにおいて前記第３の決定（スイカ＋１枚）がなされる確率と前記第４の決定（特別役＋スイカ＋１枚）がなされる確率との合算確率に占める前記第４の決定（特別役＋スイカ＋１枚）がなされる確率の比率が高くなる確率で前記第１〜４の決定を行い、
前記導出制御手段は、
前記第１〜４の決定（スイカ、特別役＋スイカ、スイカ＋１枚、特別役＋スイカ＋１枚）がなされたときに、前記複数の可変表示領域（左、中、右リール）の表示結果として特定の表示態様（入賞ラインに「スイカ−スイカ−スイカ／ＢＡＲ」が揃う停止態様）を導出させる制御を行い、
前記第３の決定（スイカ＋１枚）または前記第４の決定（特別役＋スイカ＋１枚）がなされた場合と、前記第３の決定（スイカ＋１枚）及び前記第４の決定（特別役＋スイカ＋１枚）のいずれもなされていないが前記特別入賞（特別役）の発生を許容する旨が決定されている場合と、にのみ、前記複数の可変表示領域（左、中、右リール）のうち特定の可変表示領域（左リール）以外のいずれかの可変表示領域（中、右リール）が未だ変動している段階で、前記特定の表示態様（入賞ラインに「スイカ−スイカ−スイカ／ＢＡＲ」が揃う停止態様）を構成する特定の表示結果（７番、１４番の「スイカ」の中段停止）を前記特定の可変表示領域（左リール）に導出させる制御を行う
ことを特徴としている。
この特徴によれば、第１の決定がなされる確率と第２の決定がなされる確率との合算確率に占める第２の決定がなされる確率の比率よりも、第３の決定がなされる確率と第４の決定がなされる確率との合算確率に占める第４の決定がなされる確率の比率が高いため、同じ特定の表示態様の導出が許容される場合であっても、第１の決定または第２の決定がなされている場合よりも第３の決定または第４の決定がなされている場合の方が、特別入賞の発生が許容されている可能性が高まる。そして、第３の決定または第４の決定がなされた場合と、第３の決定及び第４の決定のいずれもなされていないが特別入賞の発生を許容する旨が決定されている場合と、にのみ、複数の可変表示領域のうち特定の可変表示領域以外のいずれかの可変表示領域が未だ変動している段階で、特定の表示態様を構成する特定の表示結果が特定の可変表示領域に導出されるようになっており、特定の可変表示領域に特定の表示結果が導出されることで、特別入賞の発生が許容されている可能性が高い旨が示唆されるとともに、事前決定手段の決定結果が、特別入賞の発生を許容する旨が同時に決定される比率の高い第１の一般入賞の発生を許容する旨及び第２の一般入賞の発生を許容する旨の同時決定であるか、特別入賞の発生を許容する旨の決定であるか、に絞られることとなる。そして、その後特定の表示態様が導出されなかった場合には、さらに特別入賞の発生が許容されている可能性が高まるとともに、特定の表示態様が導出された場合であっても、特別入賞の発生が許容されている可能性の高い第３の決定または第４の決定がなされていることが確定することとなるので、特定の可変表示領域以外のいずれかの可変表示領域が未だ変動している段階で、特定の表示結果が特定の可変表示領域に導出されることにより特別入賞の発生が許容されていることに対する遊技者の期待感を効果的に高めることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記導出制御手段が、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う前記特別入賞の発生を許容する旨が決定されている場合とは、少なくとも前記特別入賞の発生を許容する旨が決定されている場合であれば良く、前記特別入賞の発生を許容する旨が単独で決定されている場合（前ゲームから持ち越されている場合も含む）であっても良いし、前記特別入賞の発生を許容する旨が他の一般入賞の発生を許容する旨と同時に決定されている場合（前ゲームから持ち越されている状態で一般入賞の発生を許容する旨が決定された場合も含む）であっても良く、前記特別入賞の発生を許容する旨及び前記第１の一般入賞の発生を許容する旨が同時に決定されている場合、すなわち第２の決定がなされた場合であっても良い。
本発明の請求項２に記載のスロットマシンは、
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第３の決定がなされる確率と前記第４の決定がなされる確率との合算確率に占める前記第４の決定がなされる確率の比率よりも、同一ゲームにおいて前記第１の決定がなされる確率と前記第２の決定がなされる確率との合算確率に占める前記第２の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第１の決定または前記第２の決定がなされた場合と、前記第１の決定及び前記第２の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴としている。
【手続補正３】
【補正対象書類名】明細書
【補正対象項目名】００１１
【補正方法】変更
【補正の内容】
【００１１】
本発明の請求項３に記載のスロットマシンは、請求項１または２に記載のスロットマシンであって、
前記特定の表示態は、前記複数の可変表示領域に跨って設定された複数のライン（入賞ラインＬ１〜Ｌ５）のいずれかに前記特定の図柄組み合わせ（「スイカ−スイカ−スイカ／ＢＡＲ」）が導出される表示態様であり、
前記導出制御手段は、
前記第３の決定（スイカ＋１枚）または前記第４の決定（特別役＋スイカ＋１枚）がなされたときに、前記複数のライン（入賞ラインＬ１〜Ｌ５）のうちの第１のライン（入賞ラインＬ１）に、第２のライン（入賞ラインＬ２〜Ｌ５）よりも高い割合で前記特定の図柄組み合わせ（「スイカ−スイカ−スイカ／ＢＡＲ」）を導出させる制御を行い、
前記第１の決定（スイカ）または前記第２の決定（特別役＋スイカ）がなされたときに、前記第２のライン（入賞ラインＬ２〜Ｌ５）に、前記第１のライン（入賞ラインＬ１）よりも高い割合で前記特定の図柄組み合わせ（「スイカ−スイカ−スイカ／ＢＡＲ」）を導出させる制御を行う
ことを特徴としている。
この特徴によれば、第３の決定または第４の決定がなされている場合には、第１のラインに特定の図柄組み合わせが導出される可能性が高く、第１の決定または第２の決定がなされている場合には、第２のラインに特定の図柄組み合わせが導出される可能性が高い。すなわち第３の決定または第４の決定がなされている場合に特定の図柄組み合わせが導出された場合と、第１の決定または第２の決定がなされている場合に特定の図柄組み合わせが導出された場合と、で特定の図柄組み合わせが導出されやすいラインが異なる。そして、第１の決定がなされる確率と第２の決定がなされる確率との合算確率に占める第２の決定がなされる確率の比率よりも、第３の決定がなされる確率と第４の決定がなされる確率との合算確率に占める第４の決定がなされる確率の比率が異なるため、特定の図柄組み合わせが導出された際に、特定の図柄組み合わせが導出されたラインによって特別入賞の発生が許容されていることに対する期待度に変化を持たせることができる。さらに、第１のラインに特定の図柄組み合わせが導出された場合にも、第２のラインに特定の図柄組み合わせが導出された場合にも、ともに特別入賞の発生が許容されている可能性が示唆されるが、特定の図柄組み合わせが導出されたラインから特別入賞の発生が許容されているか否かを判別することは不可能であり、特定の図柄組み合わせがいずれのラインに導出された場合でも、特別入賞の発生が許容されていることに対する遊技者の期待感が損なわれてしまうことがない。
尚、第１のラインに、第２のラインよりも高い割合で前記特定の図柄組み合わせを導出させる制御とは、第１のラインに１００％の割合で前記特定の図柄組み合わせを導出させる制御を含む。また、第２のラインに、第１のラインよりも高い割合で前記特定の図柄組み合わせを導出させる制御とは、第２の入賞ラインに１００％の割合で前記特定の図柄組み合わせを導出させる制御を含む。
また、特定の図柄組み合わせを構成する図柄は同種の図柄であっても良いし、異なる図柄であっても良い。すなわち特定の図柄組み合わせは、同種の図柄同士の組合せであっても良いし、異なる図柄を含んでいても良い。
【手続補正４】
【補正対象書類名】明細書
【補正対象項目名】００１２
【補正方法】変更
【補正の内容】
【００１２】
本発明の請求項４に記載のスロットマシンは、請求項１〜３のいずれかに記載のスロットマシンであって、
前記事前決定手段（内部抽選）の決定結果に応じて複数種類の演出（小役告知Ａ、小役告知Ｂ）からいずれかの種類の演出（小役告知演出）を選択する演出種類選択手段と、
前記演出種類選択手段にて選択された種類の演出（小役告知演出）を実行する演出実行手段と、
を備え、
前記演出種類選択手段は、前記第１の決定（スイカ）または前記第２の決定（特別役＋スイカ）がなされているときと、前記第３の決定（スイカ＋１枚）または前記第４の決定（特別役＋スイカ＋１枚）がなされているときで異なる選択比率にて前記演出の種類（小役告知Ａ、Ｂ）を選択する
ことを特徴としている。
この特徴によれば、第１の一般入賞及び第２の一般入賞のうち第１の一般入賞が単独で許容されている場合と、第１の一般入賞と第２の一般入賞が同時に当選している場合と、で演出の選択比率が異なり、演出の種類から第１の一般入賞と第２の一般入賞が同時に当選しており、特別入賞の発生が許容されている可能性の高い旨が示唆されることとなるため、複数の可変表示領域のうち特定の可変表示領域以外のいずれかの可変表示領域が未だ変動している段階で、特定の表示態様を構成する特定の表示結果が特定の可変表示領域に導出されずに、特定の表示態様が導出された場合であっても、演出の種類に応じて特別入賞の発生に対する遊技者の期待感を高めることができる。
本発明の請求項５に記載のスロットマシンは、
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第１の決定がなされる確率と前記第４の決定がなされる確率との合算確率に占める前記第４の決定がなされる確率の比率よりも、同一ゲームにおいて前記第２の決定がなされる確率と前記第３の決定がなされる確率との合算確率に占める前記第２の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第２の決定または前記第３の決定がなされた場合と、前記第２の決定及び前記第３の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴としている。
本発明の請求項６に記載のスロットマシンは、
各々が識別可能な複数種類の図柄を周期的に移動させることにより変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記複数の可変表示領域に表示結果をそれぞれ導出させるための導出操作手段と、
前記導出操作手段が操作されたときに、該導出操作手段に対応する可変表示領域の表示結果として予め定められた引込範囲内に位置する表示位置からいずれかの表示位置を前記事前決定手段の決定結果に基づいて導出させる制御を行う導出制御手段と、
前記特別入賞の発生を許容する旨が決定され、該特別入賞が発生しなかった場合に当該特別入賞の発生を許容する旨の決定を次ゲーム以降に持ち越す持越手段と、
を備え、
前記事前決定手段は、
同一ゲームにおける決定対象として、前記一般入賞のうち第１の一般入賞の発生を許容する旨を単独で決定する第１の決定、前記第１の一般入賞の発生を許容する旨及び前記特別入賞の発生を許容する旨を同時に決定する第２の決定、前記第１の一般入賞の発生を許容する旨及び前記一般入賞のうち前記第１の一般入賞と異なる第２の一般入賞の発生を許容する旨を同時に決定する第３の決定、前記第１の一般入賞の発生を許容する旨、前記第２の一般入賞の発生を許容する旨及び前記特別入賞の発生を許容する旨を同時に決定する第４の決定を行うことが可能であり、
同一ゲームにおいて前記第２の決定がなされる確率と前記第３の決定がなされる確率との合算確率に占める前記第２の決定がなされる確率の比率よりも、同一ゲームにおいて前記第１の決定がなされる確率と前記第４の決定がなされる確率との合算確率に占める前記第４の決定がなされる確率の比率が高くなる確率で前記第１〜４の決定を行い、
前記導出制御手段は、
前記第１〜４の決定がなされたときに、前記複数の可変表示領域の表示結果として特定の表示態様を導出させる制御を行い、
前記第１の決定または前記第４の決定がなされた場合と、前記第１の決定及び前記第４の決定のいずれもなされていないが前記特別入賞の発生を許容する旨が決定されている場合と、にのみ、前記複数の可変表示領域のうち特定の可変表示領域以外のいずれかの可変表示領域が未だ変動している段階で、前記特定の表示態様を構成する特定の表示結果を前記特定の可変表示領域に導出させる制御を行う
ことを特徴としている。
本発明の請求項７に記載のスロットマシンは、請求項５または６に記載のスロットマシンであって、
前記特定の表示態様は、前記複数の可変表示領域に跨って設定された複数のラインのいずれかに特定の図柄組み合わせが導出される表示態様であり、
前記導出制御手段は、
前記第２の決定または前記第３の決定がなされたときに、前記複数のラインのうちの第１のラインに、第２のラインよりも高い割合で前記特定の図柄組み合わせを導出させる制御を行い、
前記第１の決定または前記第４の決定がなされたときに、前記第２のラインに、前記第１のラインよりも高い割合で前記特定の図柄組み合わせを導出させる制御を行う
ことを特徴としている。
本発明の請求項８に記載のスロットマシンは、請求項５〜７のいずれかに記載のスロットマシンであって、
前記事前決定手段の決定結果に応じて複数種類の演出からいずれかの種類の演出を選択する演出種類選択手段と、
前記演出種類選択手段にて選択された種類の演出を実行する演出実行手段と、
を備え、
前記演出種類選択手段は、前記第１の決定または前記第４の決定がなされたときと、前記第２の決定または前記第３の決定がなされたときと、で異なる選択比率にて前記演出の種類を選択する
ことを特徴としている。
【手続補正５】
【補正対象書類名】明細書
【補正対象項目名】００１３
【補正方法】変更
【補正の内容】
【００１３】
本発明の請求項９に記載のスロットマシンは、請求項１〜８のいずれかに記載のスロットマシンであって、
前記複数の可変表示領域（左、中、右リール）のうち特定の可変表示領域（左リール）以外のいずれかの可変表示領域（中、右リール）が未だ変動している段階で、前記特定の表示結果（７番、１４番の「スイカ」の中段停止）が前記特定の可変表示領域（左リール）に導出されたことを条件に、特殊演出（特殊停止音）を実行する特殊演出実行手段を備える
ことを特徴としている。
この特徴によれば、特殊演出が実行されることにより、特定の可変表示領域以外のいずれかの可変表示領域が未だ変動している段階で、特別入賞の発生が許容されている可能性が高い旨が示唆される特定の表示結果が特定の可変表示領域に導出されたことを確実に知らせることが可能となり、特別入賞の発生が許容されていることに対する遊技者の期待感を効果的に高めることができる。
【手続補正６】
【補正対象書類名】明細書
【補正対象項目名】００１４
【補正方法】変更
【補正の内容】
【００１４】
本発明の請求項１０に記載のスロットマシンは、請求項１〜９のいずれかに記載のスロットマシンであって、
前記第１〜４の決定（スイカ、特別役＋スイカ、スイカ＋１枚、特別役＋スイカ＋１枚）のいずれかがなされたときに、２以上の所定ゲーム数（５ゲーム）にわたる演出内容（演出パターン）を決定する連続演出内容決定手段と、
前記第１〜４の決定（スイカ、特別役＋スイカ、スイカ＋１枚、特別役＋スイカ＋１枚）のいずれかがなされた後、前記所定ゲーム数（５ゲーム）にわたり前記連続演出内容決定手段にて決定された演出内容（演出パターン）に基づく連続演出（特別役当選示唆演出）を実行する連続演出実行手段と、
前記連続演出（特別役当選示唆演出）が開始した後、前記所定ゲーム数（５ゲーム）に到達する前に新たに前記特定一般入賞（スイカを含む役）の発生を許容する旨が決定されたときに残りの演出内容（演出パターン）を変更する演出内容変更手段と、
を備える
ことを特徴としている。
この特徴によれば、特別入賞の発生を許容する旨が同時に決定される可能性のある第１の一般入賞の発生を許容する旨が決定されたことを契機に開始する連続演出、すなわち特別入賞の発生が許容されている可能性を示す連続演出の終了前に、さらに第１の一般入賞の発生を許容する旨が決定されたとき、すなわち特別入賞の発生が許容されている可能性がさらに高まる事象が生じた場合には、それに併せて連続演出の演出内容も変化するため、連続演出中に生じた事象に応じて特別入賞の発生に対する遊技者の期待感を効果的に高めることができる。